(57)【要約】  本発明は、ユーザインターフェイスシステムと、プログラマブル装置のスケジュールをプログラムするための方法とに関する。本システムは、プロセッサ手段と、プロセッサ手段に連結された表示ユニットとを備え、それにより、プロセッサ手段は、スケジュールについての少なくとも１つの期間をプログラムするための時間選択領域を表示するための表示ユニット上のグラフィック表示を提供するように構成されている。時間選択領域は、複数のセグメントに分割されたダイヤルとして表示ユニット上に表示され、各セグメントは、装置についての動作パラメータ、例えば温度設定についての日における期間、例えば１５分を表す。時間設定領域は、スケジュールについての選択された期間に対応するダイヤル上の１つ以上のセグメントをユーザが選択することを可能にするように相互作用的に動作可能である。本発明は、ユーザがスケジュールを容易に閲覧し切り換えることを可能にする、容易かつ効率的な方法で多数のスケジュールの調整を可能にするユーザインターフェイスシステムおよび方法を対象とするものである。【選択図】図３Ｆ
2013524374.tif 000002
【特許請求の範囲】
【請求項１】
プログラマブル装置のスケジュールをプログラムするためのユーザインターフェイスシステムにおいて、前記ユーザインターフェイスシステムは、
プロセッサ手段と、
前記プロセッサ手段に連結された表示ユニットと、
前記プロセッサ手段は、前記表示ユニット上にグラフィック表示を提供するように構成されており、
前記スケジュールについての少なくとも１つの期間をプログラムするための時間選択領域であって、前記時間選択領域は、複数のセグメントに分割されたダイヤルとして前記表示ユニット上に表示され、各セグメントは、前記装置の動作パラメータについての日における期間を表す、時間選択領域とを備え、
前記時間選択領域は、ユーザが前記ダイヤル上で１つ以上のセグメントを選択することを可能にするように相互作用的に動作可能であり、前記選択された１つ以上のセグメントは、前記スケジュールについての第１の期間に対応し、いずれの選択されていないセグメントも、前記スケジュールについてのさらなる期間に対応することを特徴とするユーザインターフェイスシステム。
【請求項２】
請求項１に記載のユーザインターフェイスシステムにおいて、前記１つ以上のセグメントは、ユーザがポインティング手段を前記ダイヤルの選択されていないセグメント上に位置決めしドラッグすることにより選択されることを特徴とするユーザインターフェイスシステム。
【請求項３】
請求項１または２に記載のユーザインターフェイスシステムにおいて、１つ以上のセグメントは、ユーザがポインティング手段を前記ダイヤルの１つの選択されたセグメント上に位置決めしドラッグすることにより選択解除されることを特徴とするユーザインターフェイスシステム。
【請求項４】
請求項１〜３のいずれか一項に記載のユーザインターフェイスシステムにおいて、前記表示ユニットは、タッチ感知画面であり、前記ポインティング手段は、ユーザの指またはスタイラスにより提供され、ユーザが前記指またはスタイラスを前記ダイヤルのセグメント上にタッチしてドラッグすることにより選択されるかまたは選択されないことを特徴とするユーザインターフェイスシステム。
【請求項５】
請求項２〜４のいずれか一項に記載のユーザインターフェイスシステムにおいて、前記ポインティング手段は、マウスであり、セグメントは、ユーザがマウスポインタを前記ダイヤルのセグメント上に位置決めし、アクティブ化し、ドラッグすることにより選択されるかまたは選択されないことを特徴とするユーザインターフェイスシステム。
【請求項６】
請求項２〜４のいずれか一項に記載のユーザインターフェイスシステムにおいて、前記ポインティング手段は、手動で回転可能な選択装置により提供され、セグメントは、ユーザが前記選択装置のポインタを前記時間選択領域のセグメント上に位置決めし、アクティブ化し、ドラッグすることにより選択されるかまたは選択されないことを特徴とするユーザインターフェイスシステム。
【請求項７】
請求項１〜６のいずれか一項に記載のユーザインターフェイスシステムにおいて、セグメントは、前記装置の前記動作パラメータについての状態を設定および指示するように選択可能および／または非選択可能であることを特徴とするユーザインターフェイスシステム。
【請求項８】
請求項７に記載のユーザインターフェイスシステムにおいて、選択されたセグメントは、前記装置の前記動作パラメータについてのオン状態を表し、選択されていないセグメントは、オフ状態を表すことを特徴とするユーザインターフェイスシステム。
【請求項９】
請求項１〜８のいずれか一項に記載のユーザインターフェイスシステムにおいて、各セグメントは、前記動作パラメータについての使用価格の時間を指示する背景色または外観を有することを特徴とするユーザインターフェイスシステム。
【請求項１０】
請求項１〜９のいずれか一項に記載のユーザインターフェイスシステムにおいて、前記動作パラメータは、室温、部屋の湿度、部屋の換気、部屋の気質、水温、水質、水の制限、警報または保安設定、および照明レベルの１つであることを特徴とするユーザインターフェイスシステム。
【請求項１１】
請求項１〜１０のいずれか一項に記載のユーザインターフェイスシステムにおいて、前記セグメントは、選択および選択解除されると外観が変化することを特徴とするユーザインターフェイスシステム。
【請求項１２】
請求項１〜１１のいずれか一項に記載のユーザインターフェイスシステムにおいて、各セグメントは、日の１時間〜２４時間、日の３０分〜１時間、日の１５分〜３０分、および日の１分〜１５分の１つの範囲内の特定の期間に対応することを特徴とするユーザインターフェイスシステム。
【請求項１３】
請求項１〜１２のいずれか一項に記載のユーザインターフェイスシステムにおいて、前記時間選択領域は、日における複数の期間をプログラムするために動作可能であり、それにより、前記動作パラメータについての各別個の期間は、前記ダイヤル上の隣接した選択されたまたは隣接した選択されていないセグメントに対応することを特徴とするユーザインターフェイスシステム。
【請求項１４】
請求項１〜１３のいずれか一項に記載のユーザインターフェイスシステムにおいて、期間は、前記表示ユニット上で数字形式で追加表示されることを特徴とするユーザインターフェイスシステム。
【請求項１５】
請求項１４に記載のユーザインターフェイスシステムにおいて、前記数字形式の期間は、前記表示ユニット上で開始および停止時間として表示されることを特徴とするユーザインターフェイスシステム。
【請求項１６】
請求項１５に記載のユーザインターフェイスシステムにおいて、期間は、前記数字形式上で前記開始および停止時間を編集することにより更新されることを特徴とするユーザインターフェイスシステム。
【請求項１７】
請求項１６に記載のユーザインターフェイスシステムにおいて、前記ダイヤルのセグメントは、前記編集された期間に従って選択されるかまたは選択解除されることを特徴とするユーザインターフェイスシステム。
【請求項１８】
請求項１〜１７のいずれか一項に記載のユーザインターフェイスシステムにおいて、前記プロセッサ手段は、さらに、温度設定領域を前記表示ユニット上にグラフィック表示を提供するように構成されていることを特徴とするユーザインターフェイスシステム。
【請求項１９】
請求項１８に記載のユーザインターフェイスシステムにおいて、前記温度設定領域は、期間について目標温度を設定することを可能にするように相互作用的に動作可能であることを特徴とするユーザインターフェイスシステム。
【請求項２０】
請求項１９に記載のユーザインターフェイスシステムにおいて、前記目標温度および現在の温度は、前記ダイヤルにおいてまたは前記ダイヤルに隣接して表示されることを特徴とするユーザインターフェイスシステム。
【請求項２１】
請求項１〜２０のいずれか一項に記載のユーザインターフェイスシステムにおいて、前記プロセッサ手段は、さらに、スケジュールがプログラムされる週における１つ以上の日をユーザが選択することを可能にするように相互作用的に動作可能な日選択領域を前記表示ユニット上にグラフィック表示するように構成されていることを特徴とするユーザインターフェイスシステム。
【請求項２２】
請求項１〜２１のいずれか一項に記載のユーザインターフェイスシステムにおいて、前記プロセッサ手段は、さらに、スケジュールがプログラムされる１つ以上のゾーンからユーザが選択することを可能にするように相互作用的に動作可能なゾーン選択領域を前記表示ユニット上にグラフィック表示するように構成されていることを特徴とするユーザインターフェイスシステム。
【請求項２３】
請求項１〜２２のいずれか一項に記載のユーザインターフェイスシステムにおいて、前記プロセッサ手段は、さらに、スケジュールがプログラムされる２つ以上のゾーンからユーザが選択することを可能にするように相互作用的に動作可能なゾーン選択領域を前記表示ユニット上にグラフィック表示するように構成されていることを特徴とするユーザインターフェイスシステム。
【請求項２４】
請求項１〜２３のいずれか一項に記載のユーザインターフェイスシステムにおいて、前記プロセッサ手段は、さらに、スケジュールがプログラムされる３つ以上のゾーンからユーザが選択することを可能にするように相互作用的に動作可能なゾーン選択領域を前記表示ユニット上にグラフィック表示するように構成されていることを特徴とするユーザインターフェイスシステム。
【請求項２５】
請求項２２〜２４のいずれか一項に記載のユーザインターフェイスシステムにおいて、各ゾーンは、前記表示ユニット上で別々のダイヤルを有することを特徴とするユーザインターフェイスシステム。
【請求項２６】
請求項２２〜２５のいずれか一項に記載のユーザインターフェイスシステムにおいて、複数のゾーンは、前記表示ユニット上で同心ダイヤルの編成として表示されることを特徴とするユーザインターフェイスシステム。
【請求項２７】
請求項２２〜２６のいずれか一項に記載のユーザインターフェイスシステムにおいて、スケジュールは、前記表示ユニット上で各ゾーンについてのダイヤルとして表示されることを特徴とするユーザインターフェイスシステム。
【請求項２８】
請求項１〜２７のいずれか一項に記載のユーザインターフェイスシステムにおいて、スケジュールは、前記表示ユニット上で週の各日についてのダイヤルとして表示されることを特徴とするユーザインターフェイスシステム。
【請求項２９】
請求項２２〜２８のいずれか一項に記載のユーザインターフェイスシステムにおいて、スケジュールは、前記表示ユニット上で週、月、または季節の各日についての各ゾーンについてのダイヤルとして表示されることを特徴とするユーザインターフェイスシステム。
【請求項３０】
請求項１〜２９のいずれか一項に記載のユーザインターフェイスシステムにおいて、前記プロセッサは、ローカルまたは遠隔の格納手段に連結され、それにより、１つ以上のプログラムされたスケジュールは、前記格納手段に格納され、前記装置による処理のために前記格納手段から選択可能であることを特徴とするユーザインターフェイスシステム。
【請求項３１】
請求項１〜３０のいずれか一項に記載のユーザインターフェイスシステムにおいて、スケジュールは、インターネットウェブサイトを介して前記ユーザインターフェイスシステムにアクセスすることによりプログラムされることを特徴とするユーザインターフェイスシステム。
【請求項３２】
請求項１〜３０のいずれか一項に記載のユーザインターフェイスシステムにおいて、スケジュールは、移動演算装置上で実行されるアプリケーションを介して前記ユーザインターフェイスシステムにアクセスすることによりプログラムされることを特徴とするユーザインターフェイスシステム。
【請求項３３】
請求項１〜３０のいずれか一項に記載のユーザインターフェイスシステムにおいて、スケジュールは、前記装置用の制御パネル上で前記ユーザインターフェイスシステムにアクセスすることによりプログラムされることを特徴とするユーザインターフェイスシステム。
【請求項３４】
請求項１〜３３のいずれか一項に記載のユーザインターフェイスシステムにおいて、演算装置からスケジュールを符号化したテキストメッセージを受信するための手段をさらに備えることを特徴とするユーザインターフェイスシステム。
【請求項３５】
請求項３４に記載のユーザインターフェイスシステムにおいて、前記テキストメッセージは、英数字の文字列を備え、それにより、前記文字列における各文字は、前記ダイヤルのセグメントを選択するかまたは選択しない指令を符号化したものであることを特徴とするユーザインターフェイスシステム。
【請求項３６】
請求項１〜３５のいずれか一項に記載のユーザインターフェイスシステムにおいて、前記プロセッサ手段は、選択されたおよび／または選択されていないセグメントにより定義される期間において前記プログラマブル装置を通じて流れるエネルギーを感知する手段を備えることを特徴とするユーザインターフェイスシステム。
【請求項３７】
プロセッサ手段と前記プロセッサ手段に連結された表示ユニットとを備えるユーザインターフェイスシステムを用いてプログラマブル装置のスケジュールをプログラムする方法において、前記プロセッサ手段は、前記スケジュールについての少なくとも１つの期間をプログラムするための時間選択領域を備える前記表示ユニット上のグラフィック表示を提供するように構成され、前記時間選択領域は、複数のセグメントに分割されたダイヤルとして前記表示ユニット上に表示され、各セグメントは、前記装置の動作パラメータについての日における期間を表し、前記方法は、
前記ダイヤル上で１つ以上のセグメントを選択するステップであって、前記選択された１つ以上のセグメントは、前記スケジュールについての第１の期間に対応し、いずれの選択されていないセグメントも、前記スケジュールについてのさらなる期間に対応する、ステップを含むことを特徴とするプログラマブル装置のスケジュールをプログラムする方法。
【請求項３８】
請求項３７に記載のプログラマブル装置のスケジュールをプログラムする方法において、前記ダイヤルの１つ以上のセグメントを選択する前記ステップは、ユーザがポインティング手段を前記ダイヤルの選択されていないセグメント上に位置決めしドラッグするステップを含むことを特徴とするプログラマブル装置のスケジュールをプログラムする方法。
【請求項３９】
請求項３６または３７に記載のプログラマブル装置のスケジュールをプログラムする方法において、前記ダイヤルの１つ以上のセグメントを選択解除するステップは、ユーザがポインティング手段を前記ダイヤルの選択されたセグメント上に位置決めしドラッグするステップを含むことを特徴とするプログラマブル装置のスケジュールをプログラムする方法。
【請求項４０】
請求項３８または３９に記載のプログラマブル装置のスケジュールをプログラムする方法において、前記表示ユニットは、タッチ感知画面であり、前記ポインティング手段は、ユーザの指またはスタイラスであり、セグメントを選択または選択解除する前記ステップは、ユーザが前記指またはスタイラスを前記ダイヤルのセグメント上にタッチしてドラッグするステップを含むことを特徴とするプログラマブル装置のスケジュールをプログラムする方法。
【請求項４１】
請求項３８または３９に記載のプログラマブル装置のスケジュールをプログラムする方法において、前記ポインティング手段は、マウスであり、セグメントは、ユーザがマウスポインタを前記ダイヤルのセグメント上に位置決めし、アクティブ化し、ドラッグすることにより選択または選択解除されることを特徴とするプログラマブル装置のスケジュールをプログラムする方法。
【請求項４２】
請求項３８または３９に記載のプログラマブル装置のスケジュールをプログラムする方法において、前記ポインティング手段は、手動で回転可能な選択装置により提供され、セグメントを選択または選択解除する前記ステップは、ユーザが前記選択装置のポインタを前記時間選択領域のセグメント上に位置決めし、アクティブ化し、ドラッグするステップを含むことを特徴とするプログラマブル装置のスケジュールをプログラムする方法。
【請求項４３】
請求項３７〜４２のいずれか一項に記載のプログラマブル装置のスケジュールをプログラムする方法において、前記時間選択領域上で日における複数の期間をプログラムするさらなるステップを含み、それにより、前記動作パラメータについての各別個の期間は、前記ダイヤル上の隣接した選択されたまたは隣接した選択されていないセグメントに対応することを特徴とするプログラマブル装置のスケジュールをプログラムする方法。
【請求項４４】
請求項３７〜４３のいずれか一項に記載のプログラマブル装置のスケジュールをプログラムする方法において、前記表示ユニット上に追加表示された数字形式上で前記期間についての開始および停止時間を編集するさらなるステップを含むことを特徴とするプログラマブル装置のスケジュールをプログラムする方法。
【請求項４５】
請求項３７〜４４のいずれか一項に記載のプログラマブル装置のスケジュールをプログラムする方法において、前記表示ユニット上にグラフィック表示された相互作用的な温度設定領域上で期間についての目標温度を設定するさらなるステップを含むことを特徴とするプログラマブル装置のスケジュールをプログラムする方法。
【請求項４６】
請求項３７〜４５のいずれか一項に記載のプログラマブル装置のスケジュールをプログラムする方法において、前記表示ユニット上にグラフィック表示された日選択領域と相互作用することにより、スケジュールがプログラムされる週における１つ以上の日を選択するさらなるステップを含むことを特徴とするプログラマブル装置のスケジュールをプログラムする方法。
【請求項４７】
請求項３７〜４６のいずれか一項に記載のプログラマブル装置のスケジュールをプログラムする方法において、前記表示ユニット上にグラフィック表示されたゾーン選択領域と相互作用することにより、スケジュールがプログラムされる１つ以上のゾーンを選択するさらなるステップを含むことを特徴とするプログラマブル装置のスケジュールをプログラムする方法。
【請求項４８】
請求項３７〜４６のいずれか一項に記載のプログラマブル装置のスケジュールをプログラムする方法において、前記表示ユニット上にグラフィック表示されたゾーン選択領域と相互作用することにより、スケジュールがプログラムされる２つ以上のゾーンを選択するさらなるステップを含むことを特徴とするプログラマブル装置のスケジュールをプログラムする方法。
【請求項４９】
請求項３７〜４６のいずれか一項に記載のプログラマブル装置のスケジュールをプログラムする方法において、前記表示ユニット上にグラフィック表示されたゾーン選択領域と相互作用することにより、スケジュールがプログラムされる３つ以上のゾーンを選択するさらなるステップを含むことを特徴とするプログラマブル装置のスケジュールをプログラムする方法。
【請求項５０】
請求項３７〜４４９のいずれか一項に記載のプログラマブル装置のスケジュールをプログラムする方法において、前記装置による処理のためにローカルまたは遠隔の格納手段からプログラムされたスケジュールを選択するさらなるステップを含むことを特徴とするプログラマブル装置のスケジュールをプログラムする方法。
【請求項５１】
請求項３７〜５０のいずれか一項に記載のプログラマブル装置のスケジュールをプログラムする方法において、インターネットウェブサイトを介して前記ユーザインターフェイスシステムにアクセスすることにより、前記スケジュールをプログラムするさらなるステップを含むことを特徴とするプログラマブル装置のスケジュールをプログラムする方法。
【請求項５２】
請求項３７〜５１のいずれか一項に記載のプログラマブル装置のスケジュールをプログラムする方法において、移動演算装置上で実行されるアプリケーションを介して前記ユーザインターフェイスシステムにアクセスすることにより、前記スケジュールをプログラムするさらなるステップを含むことを特徴とするプログラマブル装置のスケジュールをプログラムする方法。
【請求項５３】
請求項３７〜５１のいずれか一項に記載のプログラマブル装置のスケジュールをプログラムする方法において、前記装置用の制御パネルを介して前記ユーザインターフェイスシステムにアクセスすることにより、前記スケジュールをプログラムするさらなるステップを含むことを特徴とするプログラマブル装置のスケジュールをプログラムする方法。
【請求項５４】
請求項３７〜５３のいずれか一項に記載のプログラマブル装置のスケジュールをプログラムする方法において、演算装置からスケジュールを符号化したテキストメッセージを受信するさらなるステップを含むことを特徴とするプログラマブル装置のスケジュールをプログラムする方法。
【請求項５５】
ＨＶＡＣ機器のプログラマブルユニットのスケジュールをプログラムするためのユーザインターフェイスシステムにおいて、前記ユーザインターフェイスシステムは、
プロセッサ手段と、
前記プロセッサ手段に連結された表示ユニットと、
前記プロセッサ手段は、前記表示ユニット上にグラフィック表示を提供するように構成されており、
前記スケジュールについての少なくとも１つの期間をプログラムするための時間選択領域であって、前記時間選択領域は、複数のセグメントに分割されたダイヤルとして前記表示ユニット上に表示され、各セグメントは、前記ユニットの温度設定についての日における期間を表す、時間選択領域とを備え、
前記時間選択領域は、ユーザが前記ダイヤル上で１つ以上のセグメントを選択することを可能にするように相互作用的に動作可能であり、前記選択された１つ以上のセグメントは、前記温度設定についてのオン期間に対応し、いずれの選択されていないセグメントも、前記温度設定についてのオフ期間に対応することを特徴とするＨＶＡＣ機器のプログラマブルユニットのスケジュールをプログラムするためのユーザインターフェイスシステム。
【請求項５６】
請求項５５に記載のＨＶＡＣ機器のプログラマブルユニットのスケジュールをプログラムするためのユーザインターフェイスシステムにおいて、請求項２〜３６の一項以上に記載の特長をさらに備えることを特徴とするＨＶＡＣ機器のプログラマブルユニットのスケジュールをプログラムするためのユーザインターフェイスシステム。
【請求項５７】
請求項１〜３６または請求項５５もしくは５６のいずれか一項に記載のユーザインターフェイスシステムを実行する演算装置。
【請求項５８】
プロセッサ手段と前記プロセッサ手段に連結された表示ユニットとを備えるユーザインターフェイスシステムを用いてＨＶＡＣ機器のプログラマブルユニットのスケジュールをプログラムする方法において、前記プロセッサ手段は、前記スケジュールについての少なくとも１つの期間をプログラムするための時間選択領域を備える前記表示ユニット上のグラフィック表示を提供するように構成され、前記時間選択領域は、複数のセグメントに分割されたダイヤルとして前記表示ユニット上に表示され、各セグメントは、前記ユニットの温度設定についての日における期間を表し、前記方法は、
前記ダイヤル上で１つ以上のセグメントを選択するステップであって、前記選択された１つ以上のセグメントは、前記温度設定についてのオン期間に対応し、いずれの選択されていないセグメントも、前記温度設定についてのオフ期間に対応する、ステップを含むことを特徴とするＨＶＡＣ機器のプログラマブルユニットのスケジュールをプログラムする方法。
【請求項５９】
請求項５７に記載のＨＶＡＣ機器のプログラマブルユニットのスケジュールをプログラムする方法において、請求項３８〜５４の一項以上に記載のさらなるステップを含むことを特徴とするＨＶＡＣ機器のプログラマブルユニットのスケジュールをプログラムする方法。
【請求項６０】
実質的に添付図面を参照して本明細書中で説明するとともに添付図面に示すユーザインターフェイスシステム。
【請求項６１】
実質的に添付図面を参照して本明細書中で説明するとともに添付図面に示すプログラマブル装置のスケジュールをプログラムする方法。
【発明の詳細な説明】
【技術分野】
【０００１】
本発明は、一般に、いずれかの電気制御装置のためのプログラマブルコントローラおよびスケジュールタイマの分野に関する。より具体的には、本発明は、簡略化されたグラフィカルユーザインターフェイス（ＧＵＩ）およびコントローラをプログラムする方法に関する。
【背景技術】
【０００２】
家庭および／または建築物ならびにそれらの関わる構内において様々な機能を制御するための多様な装置およびシステム上で、コントローラおよびタイマが用いられている。いくつかのコントローラは、装置パラメータの設定点を日付および／または時間の関数として修正するスケジュールプログラムを有する。家庭および／または建築物ならびにそれらの関わる構内において様々な機能を制御するためのスケジュールプログラム機能を利用するいくつかのかかる装置またはシステムコントローラは、例えば、ＨＶＡＣコントローラ、給湯器コントローラ、硬水軟化器コントローラ、保安システムコントローラ、芝生散水器コントローラ、および照明システムコントローラを含む。
【０００３】
スケジュールタイマは、例えば、ＨＶＡＣを最大化するため、家庭内で様々な装置を制御するために用いられる。
【０００４】
効率のためおよび複雑さを最小化するため、典型的な家庭は、３つの別々のスケジュールを要求する。リビングエリアに人がいるときのための１つのスケジュールと、就寝エリアに人がいるときのための別のスケジュールと、家庭の温水用の１つのスケジュールである。また、これらの３つのスケジュールは、人々のライフスタイルに適合するように日々変化する。このため、最大の効率を得るためには、週の各日について３つの個別のスケジュールを設定することが要求され、各家庭について合計２１個のタイマスケジュールが発生する。
【０００５】
現在、ＨＶＡＣコントローラは、４つの主なカテゴリに分類することが可能である。これらは、機械的タイマ、デジタルタイマ、デジタルマルチゾーンタイマ、およびプログラマブルコントローラである。
【０００６】
機械的タイマは、典型的には、半時間セグメントに分割された手動のプッシュ／プルピンを有する単ゾーン用２４時間アナログダイヤル型タイマスイッチである。機械式タイマは、それらの基本的な機能性のために幅広く用いられている。機械式タイマは、スケジュールされた時間の視覚的指示を有するため操作が比較的単純である。しかし、機械式タイマは、２４時間に制限されているため、現在の家庭所有者のスケジュールを管理するに当たり効率的でない。機械式タイマの時間設定は、紛らわしく、あまり正確でない可能性がある。ピンは、容易に紛失または破損する可能性がある。ピンが接近しているためスケジュールの設定は困難であり、新しいスケジュールを設定すると正確な時間が容易に影響される可能性がある。機械式タイマは、摩耗または破損する可能性がある多くの可動部品を有する。機械式タイマは、遠隔的に制御または設定することがほとんど不可能である。
【０００７】
デジタルコントローラは、ユーザが平日用および週末用の別々のスケジュールを設定する、または特定の日についての設定をコピーし、次いで、それらの設定を週の他の選択された日々に適用することを可能にする特長を含み得る。これらの設計は、ユーザがある日から別の日に設定をコピーすることを可能にするものの、プログラムを設定するためにいくつかのステップがしばしば要求され、インターフェイスを複雑化させている。いくつかの場合、インターフェイスは、ユーザが通常の平日／週末の枠を越える複数の日を選択することを許容しないかもしれない。他の場合、特にマルチゾーン機能を有する場合、インターフェイスは、複雑すぎて簡便に用いてプログラムすることができず、ユーザが無視するかまたはプログラムしなくなってしまう。そのため、プログラマブルコントローラにおいてマルチデイおよび／またはマルチゾーンスケジュールのプログラムに関連する時間および複雑さを低減する継続的な必要性が当該分野に存在している。
【０００８】
プログラマブルコントローラは、家庭、事務所、または他の閉じた空間内の様々な環境条件を監視し、必要であれば制御する。かかる装置は、例えば温度、湿度、通気、気質等を含む特定の空間のいずれかの数の環境条件を例えば制限する際に有用である。コントローラは、システムにおける他のコンポーネントと相互作用するマイクロプロセッサを含んでもよい。例えば、家庭用の多くのモデムサーモスタットにおいて、温度および湿度感知機能が装備されたコントローラユニットを設けて、ヒータ、ブロア、煙道通気口、空気圧縮機、加湿器、および／または他のコンポーネントと相互作用させ、家庭内の様々な場所における温度および湿度レベルを制御してもよい。コントローラユニット内に配置されたセンサおよび／または１つ以上の遠隔センサを用いて、温度または湿度がある閾値レベルにいつ到達するかを感知し、コントローラユニットにシステムにおける１つ以上のコンポーネントをアクティブ化または非アクティブ化する信号を送らせてもよい。
【０００９】
このため、本発明の目的は、上記の問題を少なくともある程度克服するならびに／または公衆および／もしくは産業に有用な代替を提供するプログラマブル装置についてのスケジュールをプログラムするためのさほど複雑でないユーザインターフェイスシステムおよび方法を提供することである。
【００１０】
本発明によれば、プログラマブル装置のスケジュールをプログラムするためのユーザインターフェイスシステムにおいて、ユーザインターフェイスシステムは、
プロセッサ手段と、
プロセッサ手段に連結された表示ユニットと、
プロセッサ手段は、表示ユニット上にグラフィック表示を提供するように構成されており、
スケジュールについての少なくとも１つの期間をプログラムするための時間選択領域であって、時間選択領域は、複数のセグメントに分割されたダイヤルとして表示ユニット上に表示され、各セグメントは、装置の動作パラメータについての日における期間を表す、時間選択領域を備え、
時間選択領域は、ユーザがダイヤル上で１つ以上のセグメントを選択することを可能にするように相互作用的に動作可能であり、選択された１つ以上のセグメントは、スケジュールについての第１の期間に対応し、いずれの選択されていないセグメントも、スケジュールについてのさらなる期間に対応することを特徴とするユーザインターフェイスシステムが提供される。
【００１１】
本発明の別の実施形態において、１つ以上のセグメントは、ユーザがポインティング手段をダイヤルの選択されていないセグメント上に位置決めしドラッグすることにより選択される。
【００１２】
本発明の別の実施形態において、１つ以上のセグメントは、ユーザがポインティング手段をダイヤルの１つの選択されたセグメント上に位置決めしドラッグすることにより選択解除される。
【００１３】
本発明の別の実施形態において、表示ユニットは、タッチ感知画面であり、ポインティング手段は、ユーザの指またはスタイラスにより提供され、ユーザが指またはスタイラスをダイヤルのセグメント上にタッチしてドラッグすることにより選択されるかまたは選択されない。
【００１４】
本発明の別の実施形態において、ポインティング手段は、マウスであり、セグメントは、ユーザがマウスポインタをダイヤルのセグメント上に位置決めし、アクティブ化し、ドラッグすることにより選択されるかまたは選択されない。
【００１５】
本発明の別の実施形態において、ポインティング手段は、手動で回転可能な選択装置により提供され、セグメントは、ユーザが選択装置のポインタを時間選択領域のセグメント上に位置決めし、アクティブ化し、ドラッグすることにより選択されるかまたは選択されない。
【００１６】
本発明の別の実施形態において、セグメントは、装置の動作パラメータについての状態を設定および指示するように選択可能および／または非選択可能である。
【００１７】
本発明の別の実施形態において、選択されたセグメントは、装置の動作パラメータについてのオン状態を表し、選択されていないセグメントは、オフ状態を表す。
【００１８】
本発明の別の実施形態において、各セグメントは、動作パラメータについての使用価格の時間を指示する背景色または外観を有する。かかる特長により、消費者に日または週の特定の時間におけるプログラム加熱または他の動作パラメータのコストを意識させることが可能になる。例えば、赤色を用いてピーク料金を指示し、他の色を用いて夜間または日中の課金を指示してもよい。そのため、消費者は、ピークまたは高い料金の時間に該当し得るオン時間を避けて時間選択領域の特定のセグメントを選択することができる。
【００１９】
本発明の別の実施形態において、動作パラメータは、室温、部屋の湿度、部屋の換気、部屋の気質、水温、水質、水の制限、警報または保安設定、および照明レベルの１つである。
【００２０】
本発明の別の実施形態において、セグメントは、選択および選択解除されると外観が変化する。
【００２１】
本発明の別の実施形態において、各セグメントは、日の１時間〜２４時間、日の３０分〜１時間、日の１５分〜３０分、および日の１分〜１５分の１つの範囲内の特定の期間に対応する。
【００２２】
本発明の別の実施形態において、時間選択領域は、日における複数の期間をプログラムするために動作可能であり、それにより、動作パラメータについての各別個の期間は、ダイヤル上の隣接した選択されたまたは隣接した選択されていないセグメントに対応する。
【００２３】
本発明の別の実施形態において、期間は、表示ユニット上で数字形式で追加表示される。
【００２４】
本発明の別の実施形態において、数字形式の期間は、表示ユニット上で開始および停止時間として表示される。
【００２５】
本発明の別の実施形態において、期間は、数字形式上で開始および停止時間を編集することにより更新される。
【００２６】
本発明の別の実施形態において、ダイヤルのセグメントは、編集された期間に従って選択されるかまたは選択解除される。
【００２７】
本発明の別の実施形態において、プロセッサ手段は、さらに、温度設定領域を表示ユニット上にグラフィック表示を提供するように構成されている。
【００２８】
本発明の別の実施形態において、温度設定領域は、期間について目標温度を設定することを可能にするように相互作用的に動作可能である。
【００２９】
本発明の別の実施形態において、目標温度および現在の温度は、ダイヤルにおいてまたはダイヤルに隣接して表示される。
【００３０】
本発明の別の実施形態において、プロセッサ手段は、さらに、スケジュールがプログラムされる週における１つ以上の日をユーザが選択することを可能にするように相互作用的に動作可能な日選択領域を表示ユニット上にグラフィック表示するように構成されている。
【００３１】
本発明の別の実施形態において、プロセッサ手段は、さらに、スケジュールがプログラムされる１つ以上のゾーンからユーザが選択することを可能にするように相互作用的に動作可能なゾーン選択領域を表示ユニット上にグラフィック表示するように構成されている。
【００３２】
本発明の別の実施形態において、プロセッサ手段は、さらに、スケジュールがプログラムされる２つ以上のゾーンからユーザが選択することを可能にするように相互作用的に動作可能なゾーン選択領域を表示ユニット上にグラフィック表示するように構成されている。
【００３３】
本発明の別の実施形態において、プロセッサ手段は、さらに、スケジュールがプログラムされる３つ以上のゾーンからユーザが選択することを可能にするように相互作用的に動作可能なゾーン選択領域を表示ユニット上にグラフィック表示するように構成されている。
【００３４】
本発明の別の実施形態において、各ゾーンは、表示ユニット上で別々のダイヤルを有する。
【００３５】
本発明の別の実施形態において、複数のゾーンは、表示ユニット上で同心ダイヤルの編成として表示される。
【００３６】
本発明の別の実施形態において、スケジュールは、表示ユニット上で各ゾーンについてのダイヤルとして表示される。
【００３７】
本発明の別の実施形態において、スケジュールは、表示ユニット上で週の各日についてのダイヤルとして表示される。
【００３８】
本発明の別の実施形態において、スケジュールは、表示ユニット上で週、月、または季節の各日についての各ゾーンについてのダイヤルとして表示される。
【００３９】
本発明の別の実施形態において、プロセッサは、ローカルまたは遠隔の格納手段に連結され、それにより、１つ以上のプログラムされたスケジュールは、格納手段に格納され、装置による処理のために格納手段から選択可能である。
【００４０】
本発明の別の実施形態において、スケジュールは、インターネットウェブサイトを介してユーザインターフェイスシステムにアクセスすることによりプログラムされる。
【００４１】
本発明の別の実施形態において、スケジュールは、移動演算装置上で実行されるアプリケーションを介してユーザインターフェイスシステムにアクセスすることによりプログラムされる。
【００４２】
本発明の別の実施形態において、スケジュールは、装置用の制御パネル上でユーザインターフェイスシステムにアクセスすることによりプログラムされる。
【００４３】
本発明の別の実施形態において、ユーザインターフェイスシステムは、演算装置からスケジュールを符号化したテキストメッセージを受信するための手段をさらに備える。
【００４４】
本発明の別の実施形態において、テキストメッセージは、英数字の文字列を備え、それにより、文字列における各文字は、ダイヤルのセグメントを選択するかまたは選択しない指令を符号化したものである。
【００４５】
本発明の別の実施形態において、プロセッサ手段は、選択されたおよび／または選択されていないセグメントにより定義される期間においてプログラマブル装置を通じて流れるエネルギーを感知する手段を備える。
【００４６】
かかる実施形態において、スケジュールコントローラを通じてスケジュールされた装置に引き込まれる電流を監視するための感知手段が設けられ、スケジュールされた装置がアクティブであるか非アクティブであるか、例えば、燃料を燃やす加熱装置がアクティブであり、所定の温度に到達するまでより大きい電流を引き込み、かかる温度点において、サーモスタットが加熱装置をある期間非アクティブにし、かかる期間、加熱装置は、最小の所定の温度に冷めるまでより小さい電流を引き込むか電流をまったく引き込まず、かかる温度において、サーモスタットが加熱装置を再びアクティブにしてサイクルを再開始させるかを確立する。このように、本発明は、プロセッサ手段が、例えば、所与の期間にスケジュールされた装置がアクティブであった時間および所与の期間に発生したサイクル数をカウントすることを可能にする。この情報は、次いで、プロセッサ手段が利用可能ないずれかのインターフェイス表示ユニット上で表示することが可能である。
【００４７】
本発明の別の実施形態において、プロセッサ手段は、スケジュールされた装置がアクティブであると感知された時間をある物質についてのスケジュールされた装置のアクティブ使用量で乗算することにより、所与の期間に用いられるその物質の量を、プロセッサ手段が利用可能なユーザいずれかのインターフェイス表示ユニット上でグラフィックまたは数字で表示することが可能である。
【００４８】
本発明の別の実施形態において、プロセッサ手段は、接続された装置についての物質使用量を、例えば、アクティブなオイルバーナが既知の量のオイルを空にするためにどれだけの時間を要するかを感知することにより算出することが可能であり、プロセッサは、次いで、リットル数を時間数で除算し、アクティブなバーナについてのリットル／時間率を表示する。この情報は、次いで、プロセッサ手段が利用可能ないずれかのインターフェイス表示ユニット上で表示することが可能である。
【００４９】
本発明の別の実施形態において、プロセッサ手段は、接続された装置についての物質使用量を、例えば、満タンまたは基準オイルタンクレベルで開始し、次いで補充間のアクティブ燃焼時間を感知し、次いでタンクを満タンまたは基準レベルまで補給するために要するオイル量を測定することにより算出することが可能である。プロセッサは、リットル数を時間数で除算し、アクティブなバーナについてのリットル／時間率を表示する。この情報は、次いで、プロセッサ手段が利用可能ないずれかのインターフェイス表示ユニット上で表示することが可能である。
【００５０】
本発明の別の実施形態において、プロセッサ手段は、接続された電気装置のエネルギー使用量を、例えば、スケジュールコントローラの電流センサを通じて引き込まれた実際の電流を感知することにより算出することが可能である。この情報は、次いで、プロセッサ手段が利用可能ないずれかのインターフェイス表示ユニット上で表示することが可能である。
【００５１】
本発明によれば、プロセッサ手段とプロセッサ手段に連結された表示ユニットとを備えるユーザインターフェイスシステムを用いてプログラマブル装置のスケジュールをプログラムする方法において、プロセッサ手段は、スケジュールについての少なくとも１つの期間をプログラムするための時間選択領域を備える表示ユニット上のグラフィック表示を提供するように構成され、時間選択領域は、複数のセグメントに分割されたダイヤルとして表示ユニット上に表示され、各セグメントは、装置の動作パラメータについての日における期間を表し、方法は、
ダイヤル上で１つ以上のセグメントを選択するステップであって、選択された１つ以上のセグメントは、スケジュールについての第１の期間に対応し、いずれの選択されていないセグメントも、スケジュールについてのさらなる期間に対応する、ステップを含むことを特徴とするプログラマブル装置のスケジュールをプログラムする方法が提供される。
【００５２】
本発明の別の実施形態において、ダイヤルの１つ以上のセグメントを選択するステップは、ユーザがポインティング手段をダイヤルの選択されていないセグメント上に位置決めしドラッグするステップを含む。
【００５３】
本発明の別の実施形態において、ダイヤルの１つ以上のセグメントを選択解除するステップは、ユーザがポインティング手段をダイヤルの選択されたセグメント上に位置決めしドラッグするステップを含む。
【００５４】
本発明の別の実施形態において、表示ユニットは、タッチ感知画面であり、ポインティング手段は、ユーザの指またはスタイラスであり、セグメントを選択または選択解除するステップは、ユーザが指またはスタイラスをダイヤルのセグメント上にタッチしてドラッグするステップを含む。
【００５５】
本発明の別の実施形態において、ポインティング手段は、マウスであり、セグメントは、ユーザがマウスポインタをダイヤルのセグメント上に位置決めし、アクティブ化し、ドラッグすることにより選択または選択解除される。
【００５６】
本発明の別の実施形態において、ポインティング手段は、手動で回転可能な選択装置により提供され、セグメントを選択または選択解除するステップは、ユーザが選択装置のポインタを時間選択領域のセグメント上に位置決めし、アクティブ化し、ドラッグするステップを含む。
【００５７】
本発明の別の実施形態において、本方法は、時間選択領域上で日における複数の期間をプログラムするさらなるステップを含み、それにより、動作パラメータについての各別個の期間は、ダイヤル上の隣接した選択されたまたは隣接した選択されていないセグメントに対応する。
【００５８】
本発明の別の実施形態において、本方法は、表示ユニット上に追加表示された数字形式上で期間についての開始および停止時間を編集するさらなるステップを含む。
【００５９】
本発明の別の実施形態において、本方法は、表示ユニット上にグラフィック表示された相互作用的な温度設定領域上で期間についての目標温度を設定するさらなるステップを含む。
【００６０】
本発明の別の実施形態において、本方法は、表示ユニット上にグラフィック表示された日選択領域と相互作用することにより、スケジュールがプログラムされる週における１つ以上の日を選択するさらなるステップを含む。
【００６１】
本発明の別の実施形態において、本方法は、表示ユニット上にグラフィック表示されたゾーン選択領域と相互作用することにより、スケジュールがプログラムされる１つ以上のゾーンを選択するさらなるステップを含む。
【００６２】
本発明の別の実施形態において、本方法は、表示ユニット上にグラフィック表示されたゾーン選択領域と相互作用することにより、スケジュールがプログラムされる２つ以上のゾーンを選択するさらなるステップを含む。
【００６３】
本発明の別の実施形態において、本方法は、表示ユニット上にグラフィック表示されたゾーン選択領域と相互作用することにより、スケジュールがプログラムされる３つ以上のゾーンを選択するさらなるステップを含む。
【００６４】
本発明の別の実施形態において、本方法は、装置による処理のためにローカルまたは遠隔の格納手段からプログラムされたスケジュールを選択するさらなるステップを含む。
【００６５】
本発明の別の実施形態において、本方法は、インターネットウェブサイトを介してユーザインターフェイスシステムにアクセスすることにより、スケジュールをプログラムするさらなるステップを含む。
【００６６】
本発明の別の実施形態において、本方法は、移動演算装置上で実行されるアプリケーションを介してユーザインターフェイスシステムにアクセスすることにより、スケジュールをプログラムするさらなるステップを含む。
【００６７】
本発明の別の実施形態において、本方法は、装置用の制御パネルを介してユーザインターフェイスシステムにアクセスすることにより、スケジュールをプログラムするさらなるステップを含む。
【００６８】
本発明の別の実施形態において、本方法は、演算装置からスケジュールを符号化したテキストメッセージを受信するさらなるステップを含む。
【００６９】
本発明のさらなる態様によれば、ＨＶＡＣ機器のプログラマブルユニットのスケジュールをプログラムするためのユーザインターフェイスシステムにおいて、
プロセッサ手段と、
プロセッサ手段に連結された表示ユニットと、
プロセッサ手段は、表示ユニット上にグラフィック表示を提供するように構成されており、
スケジュールについての少なくとも１つの期間をプログラムするための時間選択領域であって、時間選択領域は、複数のセグメントに分割されたダイヤルとして表示ユニット上に表示され、各セグメントは、ユニットの温度設定についての日における期間を表す、時間選択領域とを備え、
時間選択領域は、ユーザがダイヤル上で１つ以上のセグメントを選択することを可能にするように相互作用的に動作可能であり、選択された１つ以上のセグメントは、温度設定についてのオン期間に対応し、いずれの選択されていないセグメントも、温度設定についてのオフ期間に対応することを特徴とするＨＶＡＣ機器のプログラマブルユニットのスケジュールをプログラムするためのユーザインターフェイスシステムが提供される。
【００７０】
本発明のさらなる態様によれば、プロセッサ手段とプロセッサ手段に連結された表示ユニットとを備えるユーザインターフェイスシステムを用いてＨＶＡＣ機器のプログラマブルユニットのスケジュールをプログラムする方法において、プロセッサ手段は、スケジュールについての少なくとも１つの期間をプログラムするための時間選択領域を備える表示ユニット上のグラフィック表示を提供するように構成され、時間選択領域は、複数のセグメントに分割されたダイヤルとして表示ユニット上に表示され、各セグメントは、ユニットの温度設定についての日における期間を表し、方法は、
ダイヤル上で１つ以上のセグメントを選択するステップであって、選択された１つ以上のセグメントは、温度設定についてのオン期間に対応し、いずれの選択されていないセグメントも、温度設定についてのオフ期間に対応する、ステップを含むことを特徴とするＨＶＡＣ機器のプログラマブルユニットのスケジュールをプログラムする方法が提供される。
【００７１】
本発明のさらなる態様によれば、上記実施形態のいずれかに記載のユーザインターフェイスシステムを実行する演算装置が提供される。
【００７２】
本発明は、一般に、ユーザがスケジュールを容易に閲覧し切り換えることを可能にする、容易かつ効率的な方法で、グラフィカルユーザインターフェイス（ＧＵＩ）などのインターフェイスに関連付けられたプログラマブルコントローラにおける多数のスケジュールの調整を可能にする制御システムおよびインターフェイスを対象とするものである。
【００７３】
回転スライダ制御などの視覚的なインターフェイス制御機構を用いることにより、所与の外見の時間ベースのスケール変更を既定の時間設定の間で容易に切り換えることが可能であり、本発明は、ダイヤル型グラフィカルユーザインターフェイスを用いてプログラマブルコントローラのスケジュールを設定するための簡略化されたインターフェイスに関する。
【００７４】
本発明の実施形態によれば、グラフィカルユーザインターフェイスは、コントローラ自体のユーザインターフェイスからアクセスすることが可能である。
【００７５】
本発明の実施形態によれば、グラフィカルユーザインターフェイスは、コンピュータまたは携帯電話から遠隔的にアクセスすることが可能である。
【００７６】
本発明の上記の概要は、本発明の各開示された実施形態またはあらゆる実装例を説明することを意図するものではない。以下の図面、詳細な説明、および例により、これらの実施形態がより詳細に説明される。
【００７７】
本発明は、本発明の様々な実施形態の以下の詳細な説明を以下の添付の図面とともに検討することにより、より完全に理解することができる。
【図面の簡単な説明】
【００７８】
【図１】図１は、本発明の実施形態により用いられるハードウェアのブロック図を示す。
【図２】図２は、本発明の実施形態により用いることが可能な追加のハードウェアのブロック図を示す。
【図３】図３Ａ〜図３Ｈは、本発明の一実施形態によるスケジュールタイマの説明図を示す。
【図４】図４Ａ〜図４Ｂは、本発明の一実施形態によるタッチタイプのスケジュールタイマの説明図を示す。
【図５】図５Ａ〜図５Ｂは、本発明の一実施形態によるスケジュールタイマの例示のスクリーンショットを示す。
【図６】図６は、本発明の一実施形態によるプログラマブルコントローラの例示のスクリーンショットを示す。
【図７】図７は、本発明の一実施形態による移動体タイプのユーザインターフェイスの例示のスクリーンショットを示す。
【図８】図８は、ユーザがテキストメッセージで送ることができるいくつかのサンプル命令を示す概略図である。
【図９】図９は、本発明によりプログラマブル装置を通じて流れるエネルギーを感知するための手段を実装するシステムのブロック概略図である。
【図１０】図１０は、ＳＭＳメッセージにおいて１日についての指令が３つのゾーンに編成される方法を表で表したものである。
【図１１】図１１は、本発明のユーザインターフェイスを実行する制御パネル装置を示す。
【図１２】図１２は、本発明のユーザインターフェイスを実行する制御パネル装置を示す。
【図１３】図１３は、本発明のユーザインターフェイスを実行する制御パネル装置を示す。
【図１４】図１４は、本発明のユーザインターフェイスを実行する制御パネル装置を示す。
【図１５】図１５は、本発明のユーザインターフェイスを実行する制御パネル装置を示す。
【図１６】図１６は、本発明のユーザインターフェイスを実行する制御パネル装置を示す。
【図１７】図１７は、本発明のユーザインターフェイスを実行する制御パネル装置を示す。
【図１８】図１８は、本発明のユーザインターフェイスを実行する制御パネル装置を示す。
【図１９】図１９は、本発明のユーザインターフェイスを実行する制御パネル装置を示す。
【図２０】図２０は、本発明のユーザインターフェイスを実行する制御パネル装置を示す。
【図２１】図２１は、本発明のユーザインターフェイスを実行する制御パネル装置を示す。
【図２２】図２２は、本発明のユーザインターフェイスを実行する制御パネル装置を示す。
【図２３】図２３は、本発明のユーザインターフェイスを実行する制御パネル装置を示す。
【図２４】図２４は、本発明のユーザインターフェイスを実行する制御パネル装置を示す。
【図２５】図２５は、本発明のユーザインターフェイスを実行する制御パネル装置を示す。
【図２６】図２６は、本発明のユーザインターフェイスを実行する制御パネル装置を示す。
【図２７】図２７は、本発明のユーザインターフェイスを実行する制御パネル装置を示す。
【図２８】図２８は、本発明のユーザインターフェイスを実行する制御パネル装置を示す。
【図２９】図２９は、本発明のユーザインターフェイスを実行する制御パネル装置を示す。
【図３０】図３０は、本発明のユーザインターフェイスを実行する制御パネル装置を示す。
【図３１】図３１は、本発明のユーザインターフェイスを実行する制御パネル装置を示す。
【図３２】図３２は、本発明のユーザインターフェイスを実行する制御パネル装置を示す。
【発明を実施するための形態】
【００７９】
以下の説明は、図面を参照して読むべきものであり、かかる図面において、異なる図面における要素は、番号が付されている。図面は、必ずしも縮尺どおりではなく、選択された実施形態を示すものであり、本発明の範囲を限定することを意図するものではない。様々な要素について例が図示されているが、提供された例の多くが利用し得る好適な代替を有することを当業者は認識するであろう。
【００８０】
一般に、本発明は、ダイヤル型ＧＵＩプログラム機能を有するコントローラのための簡略化されたインターフェイスに関わる。これらのコントローラは、例えばＨＶＡＣシステム、給湯システム、硬水軟化システム、散水器システム、保安システム、照明システム等の種々のシステムにおいて用いることが可能である。以下の説明において、プログラマブル装置への言及は、何らかの特性、変数、または動作パラメータの演算を制限するためにスケジュールをプログラムすることが可能な装置の集合であると理解すべきであり、図面は例示のみを目的としてＨＶＡＣコントローラを示し、本発明はそれに限定されるものではないが、本発明の様々な態様の理解は、以下で提供される例の検討を通じて得られるであろう。また、本発明のユーザインターフェイスシステムは、ウェブサイト、移動電話もしくはコンピュータ装置のアプリケーション、またはスケジュールが作成されるプログラマブル装置に連結された別個の制御パネル装置を介して実装してもよいことが理解されよう。
【００８１】
図１は、典型的にはタッチ画面であるユーザインターフェイス１２０を含むスケジュールコントローラ１００を示す。このＧＵＩにより、新しいスケジュールを設定しスケジュール格納装置１４０に格納することが可能であり、または無線リンク１１０もしくは有線リンク１３０により送られた格納されたスケジュールを格納装置１４０から読み出すことが可能である。
【００８２】
図２は、ユーザインターフェイス１２０と利用可能な遠隔ユーザインターフェイスとを含むプログラムコントローラ２００を示し、かかる遠隔ユーザインターフェイスは、新しいスケジュールをスケジュール格納装置１４０に遠隔的に送り、設定し、格納するためにユーザインターフェイスＰＣ２６０からアクセスすることが可能なポータルを有し、または分析のために格納されたスケジュールを読み出すことが可能である。また、図２は、任意選択の無線ゲートウェイ２４０と移動ネットワーク２５０への直接リンクとを示す。
【００８３】
図３Ａは、デジタル表示されたアナログダイヤル型タイマスイッチ３００を示す。かかるダイヤルにより、ユーザインターフェイスシステム用の表示ユニット上に表示される時間選択領域が提供される。ダイヤルは、２４時間の丸一日を表す。この丸一日は、典型的には、各々が単一の１５分セグメント３０１を表す９６個の均等な部分に分割される。４つ毎のセグメント３０２は、強調表示された線３０３を有し、かかる線は、正時を表す。これらの線の各々の傍らには、その線が表す時間についての適切な数字がある。このように、ダイヤルは、各セグメントが装置の動作パラメータについての日における期間を表すセグメントに分割されている。
【００８４】
図３Ｂは、いくつかの異なる状態を表すようにセグメントを操作することが可能であることを示す。例えば、３１１は、ブランクであり、オフ状態を表し、３１２は、単色で塗りつぶされ、オン状態を表す。一方、３１３は、薄暗くなっており、カーソル直下のセグメントを表す。
【００８５】
また、塗りつぶされたセグメントは、図６Ａに示すように、ユーザにより選択された温度を表すため様々な色で色分けすることが可能である。
【００８６】
図３Ｃ〜図３Ｄは、ＧＵＩと、ＧＵＩの周辺でカーソルを操作するために用いられているコンピュータマウス型の装置とを示す。図３Ｃ〜図３Ｄは、デジタル表示されたアナログダイヤル型タイマスイッチ上でスケジュールを設定する方法を示す。プロセスは、カーソル３２０を選ばれたセグメント上に配置するようにコンピュータマウスが操作されることで開始する。カーソル直下のセグメントは、図形３１３に示すように薄暗くなることにより示される。この選択を確認するためには、コンピュータマウス上での左クリックが要求される。このアクションにより、セグメントの色が薄暗い色から単色３２１に変更され、選ばれた開始時間が確認される。現在、このオン選択３２１は、０６．００時間３２２で開始し０６．１５時間３２３で停止する１５分だけの持続時間を有する。
【００８７】
このオン選択の持続時間を増加させるためには、カーソルが適切な位置にあるときにコンピュータマウス上で左クリックすることにより開始セグメント３３０をカーソル３３１で選択する必要があり、左クリックボタンが下がった状態に保持されている間にカーソルをダイヤル３３２の円周の周りをオフアクションに適切な時間セグメント３３３に到達するまでドラッグし、次いでボタンを放す。
【００８８】
図示の新しい選択は、０６．００時間３３０〜０８．００時間３３３までの８つの１５分セグメントを有し、この選択についての合計オン時間は、２時間となる。
【００８９】
このように、時間選択領域は、ユーザがダイヤル上で１つ以上のセグメントを選択することを可能にするように相互作用的に動作可能であり、選択された１つ以上のセグメントは、スケジュールについての第１の期間（すなわち０６．００時間〜０８．００時間）に対応し、いずれの選択されていないセグメント（すなわち０８．００時間〜０６．００時間）も、スケジュールについてのさらなる期間に対応する。
【００９０】
図３Ｅは、図形３４０、３４１、および３４２に示すようにこのダイヤル上の要求されるオン／オフスケジュールが完成するまでこの選択プロセスが繰り返された状態を示す。また、オン／オフスケジュールは、数字３４３、３４４、および３４５でも示している。３４３、３４４、および３４５に示す数値も、適切な数の上でクリックし、新しいスケジュール時間で上書きすることにより編集することが可能である。
【００９１】
図３Ｆ〜図３Ｇは、アナログダイヤル型タイマスイッチのタッチ画面バージョン上でスケジュールを設定するために用いられる指３５４（代わりにスタイラス型装置を用いることも可能である）を示す。プロセスは、選ばれた開始セグメントをタッチするように指を操ることで開始する。このアクションにより、セグメントの色がオフ状態（暗くない）からオン状態（単色）３５１に変更され、選ばれた開始時間が確認される。現在、このオン選択３５１は、０６．００時間３５１で開始し０６．１５時間３５２で停止する１５分だけの持続時間を有する。
【００９２】
このオン選択の持続時間を増加させるためには、指で開始セグメントにタッチし、次いでダイヤル３３２の円周の周りをオフアクションに適切な時間セグメント３６２に到達するまでドラッグし、次いでボタンを放す。
【００９３】
図示の新しい選択は、０６．００時間３３０〜０８．００時間３６１までの８つの１５分セグメントを有し、この選択についての合計オン時間は、２時間となる。
【００９４】
図３Ｈは、各セグメント３７０が動作パラメータについての使用価格または料金の時間３７１、３７２、３７３、３７４を示す背景色または外観を有するダイヤルを示す。そのため、消費者は、ピークまたは高い料金の時間に該当し得るオン時間を避けて時間選択領域の特定のセグメントを選択することができる。
【００９５】
図４Ａは、図示のスケジュールタイマがタッチ画面である本発明の実施形態を示す。４００は、コントローラの外形を示す。このコントローラの内側にタッチ画面４８０がある。タッチ画面４８０は、このコントローラに要求される主要なコンポーネントのいくつかを示す。タッチ画面４８０は、１つ以上のデジタル表示されたアナログ型タイマスイッチ４１０を示すことが可能である。図４Ａは、３ゾーン用アナログダイヤル型タイマスイッチの例を示す。また、図４Ａは、週の各日についてのタブ４４０も示す。これにより、ユーザが７日の各々に異なるスケジュールをプログラムすることが可能になる。このため、図示の例は、合計２１個のデジタル表示されたアナログダイヤル型タイマスイッチを有するであろう。
【００９６】
また、各ゾーンのための追加のボタンおよび指示灯４５０および４６０も示している。代替としてまたは加えて、コントローラは、前進または保持などの機能のためのゾーン毎のより多くまたはより少ないこれらのボタン４５０または指示灯４６０を含んでもよい。
【００９７】
図４Ｂは、装置がＰＣまたは移動体から遠隔的に設定可能であることも想定されるため図示のスケジュールタイマがタッチ画面を有さない本発明の実施形態を示す。スケジュールタイマの筐体は、各ゾーンのためのオン４９３／オフ４９４／自動４９５についての指示灯を有する基本的な選択４９２およびブーストボタン４９２のみを要求するであろう。
【００９８】
図５Ａは、ＰＣタイプのユーザインターフェイス装置５００からのスクリーンショットを示す。このユーザインターフェイスは、図３Ａに示したいくつかのデジタル表示されたアナログダイヤル型タイマスイッチ５１０を含む。また、ユーザインターフェイスは、数字形式のオン／オフスケジュール５２０も含む。５２０に示す数値も、適切な数の上でクリックし、新しいスケジュール時間で上書きすることにより編集することが可能である。また、ユーザインターフェイスは、タブ５３０上に示す７日の各々についてのデジタル表示されたアナログダイヤル型タイマスイッチ５１０の指定されたセットも有する。インターフェイスは、５つの追加ボタンを含む。５４０は、押されると前日のスケジュールを選択する（前日）ボタンである。５５０は、押されるとユーザに４つのオプション、すなわち１）ユーザが現在表示されているスケジュール設定を翌日のスケジュールにコピーすることを可能にする、２）ユーザが現在の日のスケジュールをすべての平日（月曜日〜金曜日）にコピーすることを可能にする、３）現在の日のスケジュールを土曜日、日曜日にコピーすることを可能にする、４）ユーザが現在のスケジュールを全７日にコピーすることを可能にする、を与える（コピーオプション）ボタンである。５６０は、ユーザに２つのオプション、すなわち１）ユーザが今日の設定をクリアすることを可能にする、２）ユーザが全週の設定をクリアすることを可能にする、を与えるクリアオプションボタンである。５７０は、押されるとユーザが翌日のスケジュールを閲覧することを可能にする（翌日）ボタンである。５８０（設定を適用）は、すべてのスケジュールをコントローラに更新する。
【００９９】
図５Ｂは、７日の各々についての概要を有する典型的な３ゾーン用アナログダイヤル型タイマスイッチについてのプログラムスケジュールの概観を示す。
【０１００】
図６Ａは、ＰＣタイプのユーザインターフェイス装置６００からのスクリーンショットを示す。このユーザインターフェイスは、いくつかの各ゾーンについてのデジタル表示されたアナログダイヤル型タイマスイッチ６１０を含む。また、ユーザインターフェイスは、数字形式のオン／オフスケジュールおよび温度６２０も含む。６２０に示す数値も、適切な数の上でクリックし、新しいスケジュール時間または温度で上書きすることにより編集することが可能である。また、ユーザインターフェイスは、タブ６３０上に示す７日の各々についてのデジタル表示されたアナログダイヤル型プログラムコントローラ６１０のセットも有する。ＧＵＩのこの実施形態は、３つのゾーンの各々についての現在の温度読み取り値６３１を有する。ゾーン名表示エリア６３２。時間窓６３４に割り当てられた現在の目標温度設定６３３は色分けされたダイヤルバージョンであり、６３５は開始時間、６３６は停止時間の数値バージョンである。
【０１０１】
インターフェイスは、５つの追加ボタンを含む。６４０は、押されると前日のスケジュールを選択する（前日）ボタンである。６５０は、押されるとユーザに４つのオプション、すなわち１）ユーザが現在表示されているスケジュール設定を翌日のスケジュールにコピーすることを可能にする、２）ユーザが現在の日のスケジュールをすべての平日（月曜日〜金曜日）にコピーすることを可能にする、３）現在の日のスケジュールを土曜日、日曜日にコピーすることを可能にする、４）ユーザが現在のスケジュールを全７日にコピーすることを可能にする、を与える（コピーオプション）ボタンである。６６０は、ユーザに２つのオプション、すなわち１）ユーザが今日の設定をクリアすることを可能にする、２）ユーザが全週の設定をクリアすることを可能にする、を与えるクリアオプションボタンである。６７０は、押されるとユーザが翌日のスケジュールを閲覧することを可能にする（翌日）ボタンである。６８０（設定を適用）は、すべてのスケジュールをコントローラに更新する。
【０１０２】
図７は、タッチ画面７１０を有する移動体タイプ７００のユーザインターフェイス装置からのスクリーンショットを示す。このユーザインターフェイスは、図３Ａに示したものと同じタイプのデジタル表示されたアナログダイヤル型タイマスイッチ７２０を含む。また、ユーザインターフェイスは、数字形式のオン／オフスケジュールも含み、７３０は開始時間、７４０は停止時間であり、一方、数字１ボタン７５０は、表示された選択がその日の最初のオン／オフスケジュールであることを示す。個々のスケジュールは、タブ７７０から要求される日を選択することにより各日について設定することが可能である。スケジュールが完成したら適切なゾーンタブ７６０を選択することにより追加のゾーンを設定することが可能であり、適用ボタン７８０を選択することにより適用することが可能である。
【０１０３】
図８は、ユーザの移動電話の表示５０と、制御ユニットのＧＳＭモジュールから受信したメッセージを示すユーザの移動電話のさらなる表示６０とを示す。送受信されるメッセージのサンプルは、図面の残りの部分において詳細に示す。５１において、ユーザがゾーン１における加熱をオンにすることを望む場合、メッセージは、単純に「Ｚｏｎｅ  １  ｏｎ」となり、６２において受信されるメッセージは、「Ｚｏｎｅ  １  ｏｎ，  Ｚｏｎｅ  ２  ｏｆｆ，  Ｚｏｎｅ  ３  ｏｆｆ」となる。ＧＳＭモジュールにメッセージのコストを賄うクレジットが提供されるものと仮定して、指令が実行されたとき、ユーザは、この確認テキストを受信する。メッセージ５２「Ｚｏｎｅ  ２  ｏｎ  ５」は、ユーザがゾーン２における加熱を５時間オンにすることを望むことを意味し、受信されるメッセージ６２は、「Ｚｏｎｅ  １＋  ｏｎ，  Ｚｏｎｅ  ２，  Ｚｏｎｅ  ３  ｏｆｆ」となる。ユーザがゾーン１をオフにすることを望むとき、ユーザは、５３におけるようにメッセージ「Ｚｏｎｅ  １  ｏｆｆ」を送り、返信「Ｚｏｎｅ  １  ｏｆｆ，  Ｚｏｎｅ  ２  ｏｎ，  Ｚｏｎｅ  ３  ｏｆｆ」が受信される。すべての３つのゾーンをオンにするとき、ユーザは、５４においてメッセージ「ａｌｌ  ｏｎ」を送り、返信は、「Ｚｏｎｅ  １  ｏｎ，  Ｚｏｎｅ  ２  ｏｎ，  Ｚｏｎｅ  ３  ｏｎ」となる。ユーザがすべての３つのゾーンを２時間オンにすることを望む場合、ユーザは、５５におけるようにテキスト「ａｌｌ  ｏｎ  ２」を送り、６５における返信は、「Ｚｏｎｅ  １＋  ｏｎ，  Ｚｏｎｅ  ２＋  ｏｎ，  Ｚｏｎｅ  ３＋  ｏｎ」となる。すべての３つのゾーンをオフにするには、テキスト「ａｌｌ  ｏｆ」が５６において送られ、返信「Ｚｏｎｅ  １  ｏｆｆ，  Ｚｏｎｅ  ２  ｏｆｆ，  Ｚｏｎｅ  ３  ｏｆｆ」が６６においてユーザにより受信される。
【０１０４】
例えば、２０時間ダイヤルの１５分セグメントは、各セグメントにＳＭＳテキストメッセージに含まれる可能性がある１つの特定の文字を割り当てて分解し、２４時間クロックにおける９６個の異なる１５分セグメントの１つを表してもよい。
【０１０５】
図１０は、テキストメッセージについての参照番号により示された、１日についての指令が３つのゾーンに編成される方法を概略的に表したものである。本発明のこの態様は、如何にして単一のテキストメッセージでスケジュールを設定することを可能にするかという問題を克服する必要があった。
【０１０６】
次のようにしてどれだけのデータが要求されるかを分析することによりこの問題を解析すると都合がよい。
【０１０７】
１）３ゾーン用７日加熱クロックに要求されるサイクル数
【０１０８】
１ゾーン用デジタルタイマは、１日当たり３オンおよび３オフ（３＋３＝６）の別々のタイミングを要求する。
【０１０９】
１ゾーン用７日デジタルタイマは、７日の各々について６タイミング（６×７＝４２）の別々のタイミングを要求する。
【０１１０】
３ゾーン用７日デジタルタイマは、３ゾーンの各々について４２タイミング（４２×３＝１２６）の別々のタイミングを要求し、１２６個の別々のタイミングは、全オン／オフサイクル（１２６÷２＝６３）に分割される。そのため、加熱制御装置のクロックを設定するために６３個のオン／オフサイクルを送ることが必要である。
【０１１１】
２）全オン／オフサイクルに要求されるデータ量または空間
各サイクルに要求される情報は、以下のとおりである。
（ａ）ゾーンの名称（Ｚｏｎｅ  １〜Ｚｏｎｅ  ３）
（ｂ）日の名称（Ｍｏｎｄａｙ〜Ｓｕｎｄａｙ）
（ｃ）時分形式の開始時間（０４：３０）
（ｄ）時分形式の停止時間（１８：００）
例：（Ｚｏｎｅ  １  Ｍｏｎｄａｙ  ｏｎ  ０４：３０  ｏｆｆ  １８：００）
この情報は、テキストメッセージにおいて最大３１個の空間を占める可能性がある。
【０１１２】
３）全オン／オフサイクルについてテキストメッセージにおいて利用可能なデータまたは文字の量
テキストメッセージにおいて利用可能な空間数が１６０であり、潜在的に６３個の設定すべきサイクルが存在する場合、（１６０÷６３＝２．５４）であり、各オン／オフサイクルについて最大２つの空間を用いることが可能である。
【０１１３】
そのため、完成したオン／オフサイクルが最大３１個の空間を占め、メッセージにおいて利用可能な空間が２つだけ存在する場合、潜在的な３１個の空間をたった２つの空間に適合させる圧縮方法が要求される。
【０１１４】
このため、本発明は、３１個の空間、例えば（Ｚｏｎｅ  １  Ｍｏｎｄａｙ  ｏｎ  ０４：３０  ｏｆｆ  １８：００）を２つの空間に圧縮する方法を提供する。本発明がどのようにこの解決策を達成するかは、以下のような一連のステップに分解し得る：
【０１１５】
１）空いた空間を除去する。（Ｚｏｎｅ  １  Ｍｏｎｄａｙ  ｏｎ  ０４：３０  ｏｆｆ  １８：００）から（Ｚｏｎｅ１Ｍｏｎｄａｙｏｎ０４：３０ｏｆｆ１８：００）になる。これにより、オン／オフサイクルが３１個から２６個の空間に削減される。
【０１１６】
２）不要な句読点（：：）を除去する。（Ｚｏｎｅ１Ｍｏｎｄａｙｏｎ０４：３０ｏｆｆ１８：００）から（Ｚｏｎｅ１Ｍｏｎｄａｙｏｎ０４３０ｏｆｆ１８００）になる。これにより、オン／オフサイクルが２６個から２４個の空間に削減される。
【０１１７】
３）常にオン時間にオフ時間が続くようにすることにより、オン／オフ命令を除去する。（Ｚｏｎｅ１Ｍｏｎｄａｙｏｎ０４：３０ｏｆｆ１８：００）から（Ｚｏｎｅ１Ｍｏｎｄａｙ０４：３０１８：００）になる。これにより、オン／オフサイクルが２４個から１９個の空間に削減される。
【０１１８】
４）タイミングを各々４つの空間から各々１つの空間に圧縮する。２４時間を９６個の均等な部分に分割する。各部分は、１５分（００：００／００：１５／００：３０／００：４５）等を表す。各部分に一意の文字または記号、すなわち（０４：３０＝Ｓ）を与える。（Ｚｏｎｅ１Ｍｏｎｄａｙ０４３０１８００）から（Ｚｏｎｅ１ＭｏｎｄａｙＳｃ）になる。これにより、オン／オフサイクルが１９個から１３個の空間に削減される。
【０１１９】
５）日の名称を除去するため、テキストの１６０個の空間における各場所に特定の機能を割り当てる。どこにそのオン／オフタイミングが挿入されるかで各日に１８個の空間が割り当てられる（１２６÷７＝１８）。（Ｚｏｎｅ１ＭｏｎｄａｙＳｃ）から（Ｚｏｎｅ１Ｓｃ）になる。これにより、オン／オフサイクルが１３個から７個の空間に削減される。
【０１２０】
従って、図１０において、ユーザは、文字「Ｓ」を月曜日に対応しゾーン１を「オン」にするテキストメッセージ８０の場所８１に挿入している。「Ｓ」は、午前４：３０の時間に対応する。
【０１２１】
また、ユーザは、文字「ｃ」を月曜日に対応しゾーン１を「オフ」にするテキストメッセージの場所８２に挿入している。このように、テキストメッセージの規定は、ユーザが対応する文字をテキストメッセージの指定された場所に挿入するステップと、この手続を１週間の全７日について繰り返すステップとを含む。このように、本発明は、特定の日およびゾーンの文字に加え様々な命令および確認の文字を含む、１６０文字のオーダの７日分の３ゾーン用タイマについての符号を削減する。
【０１２２】
図９を参照して、本発明によりプログラマブル装置２９２を通じて流れるエネルギーを感知するための手段２９１を実装するユーザインターフェイスシステムが示されている。
【０１２３】
かかる実施形態において、スケジュールコントローラ２９０を通じてスケジュールされた装置２９２に引き込まれる電流を監視するための感知手段が設けられ、スケジュールされた装置２９２がアクティブであるか非アクティブであるか、例えば、燃料を燃やす加熱装置がアクティブであり、所定の温度に到達するまでより大きい電流を引き込み、かかる温度点において、サーモスタットが加熱装置をある期間非アクティブにし、かかる期間、加熱装置は、最小の所定の温度に冷めるまでより小さい電流を引き込むか電流をまったく引き込まず、かかる温度において、サーモスタットが加熱装置を再びアクティブにしてサイクルを再開始させるかを確立する。このように、本発明は、ユーザインターフェイスシステム２００のプロセッサ手段が、例えば、所与の期間にスケジュールされた装置２９２がアクティブであった時間および所与の期間に発生したサイクル数をカウントすることを可能にする。この情報は、次いで、プロセッサ手段が利用可能ないずれかのインターフェイス表示ユニット上で表示することが可能である。
【０１２４】
ユーザインターフェイスシステム２００は、さらに、スケジュールされた装置２９２がアクティブであると感知された時間をある物質についてのスケジュールされた装置２９２のアクティブ使用量で乗算することにより、所与の期間に用いられるその物質の量を、ユーザインターフェイス表示ユニット上でグラフィックまたは数字で表示する。このようにして、ユーザインターフェイスシステム２００のプロセッサ手段は、接続された装置２９２についての物質使用量を、例えば、アクティブなオイルバーナが既知の量のオイルを空にするためにどれだけの時間を要するかを感知することにより算出することが可能であり、プロセッサは、次いで、リットル数を時間数で除算し、アクティブなバーナについてのリットル／時間率を表示する。この情報は、次いで、プロセッサ手段が利用可能ないずれかのインターフェイス表示ユニット上で表示することが可能である。
【０１２５】
ユーザインターフェイスシステム２００のプロセッサ手段は、接続された装置２９２についての物質使用量を、例えば、満タンまたは基準オイルタンクレベルで開始し、次いで補充間のアクティブ燃焼時間を感知し、次いでタンクを満タンまたは基準レベルまで補給するために要するオイル量を測定することにより算出することが可能である。プロセッサは、リットル数を時間数で除算し、アクティブなバーナについてのリットル／時間率を表示する。この情報は、次いで、プロセッサ手段が利用可能ないずれかのインターフェイス表示ユニット上で表示することが可能である。プロセッサ手段は、接続された電気装置のエネルギー使用量を、例えば、スケジュールコントローラの電流センサを通じて引き込まれた実際の電流を感知することにより算出することが可能である。この情報は、次いで、プロセッサ手段が利用可能ないずれかのインターフェイス表示ユニット上で表示することが可能である。
【０１２６】
図１１は、本発明のユーザインターフェイスを実装する、参照番号８００により一般に示す制御パネル装置を示す。図２９は、制御パネル装置の斜視図である。図示の例において、装置８００は、スケジュールを作成および編集するとともにプログラマブル装置用のユーザインターフェイスシステムのための特別な機能を実装するため、装置８００の機能を果たすためにユーザ８０４により回すおよび／または押すことが可能な回転可能なノブまたはダイヤル８０２を備え、かかるプログラマブル装置は、図示の例ではコンフォートコントローラであるが、これは、上記のように他のプログラマブル装置用のユーザインターフェイスシステムを実装するために等しく用いることも可能であるため、何ら限定するものであると見なすべきではない。
【０１２７】
図１２は、ディスプレイ８０６上で表示され装置の「ホーム画面」である「概観」画面８０８を示す。装置８００がスタンバイ／スリープ状態から起動すると、概観画面８０８が表示される。概観画面は、図示の例において１画面における家庭の加熱状況である、プログラマブル装置に関するすべての必要な情報を与える。編集後の変更を受け付けるまたはブーストもしくは休日モードなどの特長に変更を行うと、装置は、完了時にこの画面に戻る。
【０１２８】
また、週の日々を示すカレンダータブバー８１２も示されている。カレンダータブバーは、すべてのデフォルト画面において見られ、図示の例では木曜日である現在の日が強調表示されている。画面８０８のコンテンツエリアは、現在の時間を示す針８２０を有する各ゾーンについて１つのクロックである概観クロックを備える。ゾーンタブ８１４も表示されている。図示の例において、ゾーンは、「リビング」、「就寝」、および「水」がある。「リビング」および「就寝」ゾーンは、「リビング」または「就寝」エリアとして指定された建築物における部屋に対応するものと理解され、「水」は、建築物の水供給の加熱に関する。
【０１２９】
図３０において、代替の「概観」画面が示され、かかる画面において、ユーロ記号マーカ８７２の表示は、オフピーク期間を示し、ユーザが期間内のセグメントを選択した場合、コスト削減がなされる。図３１は、代替の「概観」画面８７０を示し、かかる画面において、編集クロックまたはダイヤルが同心ダイヤル８２２ａ、８２２ｂ、８２２ｃとして設けられ、各ダイヤルは、スケジュールがプログラムされた異なるゾーンを表す。各ゾーンは、ユーザによる識別の容易さのため、ダイヤル８２２ａ、８２２ｂ、８２２ｃ上で色分けされてもよい。図３２は、図３１と同じであるが、消費者のコスト削減のためのオフピーク期間を示すユーロ記号マーカ８７２も示す。
【０１３０】
図１３は、スケジュールを編集するためのデフォルト画面である「編集」画面８１０を示す。画面８１０は、編集されている日選択領域８１２およびゾーン選択領域８１４を示す。１つの２４時間ダイヤルが複数の隣接する１５分セグメントに分割された編集クロック８２２が示されている。スケジュールのアクティブセクションが示され、画面８１０の下部におけるゾーンタブ８１４に関係して色分けされている。
【０１３１】
図１４は、ユーザが「メニュー」ボタン８２４を押すと表示される「メニュー」画面８１６であり、かかるボタンは、図１１では手８０４で隠れているが、図１５では明瞭に示されている。「メニュー」画面８１６上には、現在表示されているメニューの名称を表示するメニュータイトルが示されている。
【０１３２】
デフォルトでは、装置８００がスリープから起動するかまたは「概観」画面８０８に入ったとき、スクロールホイール８０２のフォーカスは、カレンダーバー８１２上にある。このため、ホイール８０２をスクロールすることにより週の日々が変わる。例では、ユーザ８０４がホイールを時計回りにひねり始めており、画面は、金曜日についてのスケジュール設定を示すように移動している。木曜日である現在の日は、依然、かすかに強調表示されている。週の日々を通じてダイヤルを移動させることにより、それに応じてスケジュール設定が表示される。
【０１３３】
図１６に示すように、カレンダーバー８１２において日々を通じて循環する際、ホイール８０２を押すと、選択された日についての編集モードに入る。一旦ホイールが押されると、ユーザは、編集モードに入ることを望む積極的な選択をしなければならない。
【０１３４】
図１７に示すように、一旦編集モードに入ると、画面は、編集画面に変化し、フォーカスは、ゾーンバー８１４にシフトし、ホイールを回すことにより表示された３つのゾーンを通じて循環する。現在、フォーカスは「リビング」ゾーン８３０上にあるが、図１８に示すように、ユーザは、ホイールを操作してフォーカスを「就寝」ゾーン８３２に移動させている。次いで、「就寝」ゾーン８３２を編集するため、ユーザがホイール８０２を押すと、図１９に示すように、すべての編集を始められるようにグラブハンドル８３４およびカーソル８３６がダイヤル８２２上に出現する。
【０１３５】
図２０において、ユーザ８０４は、０４：３０において開始または終了するスケジュールのためのセクションを追加することを望んでいる。ホイール８０２を時計回りに回すことにより、カーソル８３６は、対応するセグメントに移動され、表示は、０４：３０がクロック８２２のアクティブセグメントであることを伝える。この空いたセグメントにおいてホイール８０２を押して保持することにより、スケジュールのための新しいセクションが追加される。標準的なカーソル８３６は、アクティブセグメントおよびホイール８０２とともに移動するグラブハンドルにより置換される。このセクションを０４：３０から前方または後方に延長するため、ユーザは、ホイールを下がった状態に保持しながらいずれかの方向にスクロールしなければならない。ホイール８０２を押下された状態に保持したまま反時計回りにスクロールすることにより、グラブハンドルが反時計回り方向に移動し、新しいセクションが元の作成点から延長される。図２２に示す例において、０２：４５から０４：４５まで続く期間が作成されている。図２３に示すように、スクロールホイール８０２を放すことにより、グラブハンドルが０２：４５に割り当てられ、スケジュールのためのアクティブ期間が作成される。この機能は、ウェブポータルの機能とほとんど同一である。
【０１３６】
図２４に示すように、編集が終了すると、ユーザは、メニュー／戻るを押して編集モードを終了する。このボタンが押されると、ダイアログボックス８４０が開き、対象のスケジュールに変更がなされたことが宣言される。ユーザは、編集画面を離れる前に変更を適用するか破棄するかを選ばなければならない。
【０１３７】
既存の期間の編集も、装置により実行することができる。編集モードに入ると、カーソルがクロックダイヤル上に出現し、ホイールを回すことによりこのカーソルがこのクロックの周りを移動する。ユーザが０６．１５から０８．３０まで続く期間を編集することを望む場合、ユーザは、スクロールホイールを時計回りに回転させることでカーソルをこの所望されるセクションに向けて移動させる。カーソルが所望されるセクションの縁におけるグラブハンドルに到達すると、ハンドルは、より暗い灰色で強調表示される。ハンドルを移動させるため、ユーザは、ホイールを押すと同時に回し、対象のセクションの持続時間を増加または減少させなければならない。なされたいずれかの変更を割り当てるため、ユーザは、ホイールをもう一度放し、ハンドルを所望されるセグメントに落とす。
【０１３８】
図２４について上で説明したように、編集が終了すると、ユーザは、メニュー／戻るを押して編集モードを終了し、このボタンが押されると、ダイアログボックスが開き、対象のスケジュールに変更がなされたことが宣言される。ユーザは、編集画面を離れる前に変更を適用するか破棄するかを選ばなければならない。
【０１３９】
既存の期間の削除も、装置により実行することができる。上記の編集モードと同様に、セクションまたはセクションの一部を削除するため、ユーザは、スクロールホイールを回転させてアクティブカーソルを所望される削除すべきセクションまたは期間に向けて移動させる。カーソルが所望されるセクションの縁におけるグラブハンドルに到達すると、ハンドルは、より暗い灰色で強調表示される。このセクションがホイールをクリックすることにより削除可能であることを示すため、「Ｘ」がクロックの外側に出現する。ホイールを押すと、画面は、編集画面に戻るが、セクションが削除されている。削除が終了すると、ユーザは、メニュー／戻るを押して編集モードを終了する。このボタンが押されると、ダイアログボックスが開き、対象のスケジュールに変更がなされたことが宣言される。ユーザは、編集画面を離れる前に変更を適用するか破棄するかを選ばなければならない。
【０１４０】
一旦特定のゾーンの編集が開始したら、設定を割り当て、コピーし、日々を移動する能力を提供するため、二次ナビゲーション機能が利用可能である。これらのリンクにアクセスするため、ユーザは、ホイールを操作してカーソルをクロックダイヤル上で１２時過ぎまでスクロールさせる。「コピー」オプションは、ユーザが画面上に示された設定を週の他の日々にコピーすることを可能にする。機能は、現在のｉＰｈｏｎｅアプリケーションの機能と同様に作用する。「プレビュー変更」オプションは、ユーザが変更を適用する前に週単位のスケジュールの概観を得ることを可能にする。この特長を達成するため、「概観画面」が導入される。ユーザは、３つのクロックにより与えられる概観を、日単位で移動することが可能である。ホイールを押すことにより、編集オプションに戻り、編集を継続または変更を適用することが可能になる。
【０１４１】
図２５は、装置８００の前面上に設けられた、各ゾーン８３１、８３２、８３３に対応する３つの専用ハードウェア「ブースト」ボタン８５１、８５２、８５３を示す。「ブースト」ボタンを押すと、直前の画面が何であったかに関わらず、直前の画面上にブーストダイアログボックス８５５（図２６に示す）が開く。このダイアログボックス８５５は、対象のゾーン８５１、８５２、８５３を表示し、アクティブ化されるブーストの持続時間についての複数のオプションを与える。デフォルトでは、ブーストは、１時間に設定されている。ユーザがブーストを一度押して立ち去った場合、この期間アクティブ化される。
【０１４２】
図２６に示す例において、ユーザは、ブーストを３時間アクティブ化することを選択している。ブーストの存在は、ディスプレイ上およびＬＥＤを通じての両方により明らかである。図２７に示すように、概観画面は、ブースト期間を強調表示する赤色の追加セクションを示す。小さい「＋３」アイコン８６０が水ゾーンタブ８３３上に出現し、対象のゾーン上でＬＥＤが赤色で点灯し、アクティブブーストを伝える。アクティブブーストセッションをキャンセルするには、対象のブーストボタンを押すことによりブーストダイアログを再び開かなければならない。これが押されると、ダイアログボックスが出現し、ユーザに現在のブーストを無効化するまたはアクションをキャンセルするオプションを与える。
【０１４３】
さらなる特長は、「先行オフ」と称され、ユーザにクロックによりアクティブ化されたアクティブゾーンを手動でオフに切り換えるオプションを与える機能である。前述のように、ＬＥＤは、ゾーンがクロックによりアクティブであるときに光る。この場合、ブーストボタンは、「先行オフ」ボタンになる。ブーストボタンを押すことにより、この機能がアクティブ化される。デフォルトでは、「先行オフ」機能は、次のスケジュールされたアクティブセクションまでゾーンをオフに切り換える。ボタンを一度押して装置から立ち去ると、デフォルトでこの設定になる。ユーザは、異なる「先行オフ」設定を望む場合、上記画面においてそのようにすることが可能である。アクティブであるとき、「先行オフ」特長は、対象のゾーン名称上のアイコンで概観画面上で示される。アクティブセクションは、クロック表示上でグレイアウトされる。
【０１４４】
図２８に示すように、休日モードなどの他の二次機能は、メニューを介してアクセスされる。これは、将来のバージョンにおける機能向上の必要性に適合可能であるために設計された、テキストベースの線形メニューである。概観画面からメニューボタンを押すことにより、メニューに入り、最も重要／一般的に用いられるものが上部に編制されたサブメニューのリストが表示される。スクロールホイールを回すことによりこのメニューを循環し、メニューを再び押すことによりメニュー画面を終了する。休日モードアイコン８６２上を押すことにより、上で示した休日サブメニューに入る。ユーザは、アクティブ化または無効化（アクティブである場合）をするためのオプションが与えられる。休日モードメニューは、ユーザが休日モードをアクティブ化させることを望む日数を選択するオプションを提供する。スケジュールに変更を適用する場合と同様に、設定した休日モードを確認／キャンセルするダイアログボックスが出現する。一旦アクティブ化されると、概観画面からいずれのアクティブセクションもなくなり、休日モードがアクティブであることを説明する情報ティップが表示される。
【０１４５】
本発明は、例示のみのために与えられた上記の具体的な詳細に限定されるものではなく、付帯の請求項において定義される本発明の範囲を逸脱することなく様々な修正および改変が可能であることが理解されよう。
【図１】
2013524374.tif 000003
【図２】
2013524374.tif 000004
【図３Ａ】
2013524374.tif 000005
【図３Ｂ】
2013524374.tif 000006
【図３Ｃ】
2013524374.tif 000007
【図３Ｄ】
2013524374.tif 000008
【図３Ｅ】
2013524374.tif 000009
【図３Ｆ】
2013524374.tif 000010
【図３Ｇ】
2013524374.tif 000011
【図３Ｈ】
2013524374.tif 000012
【図４Ａ】
2013524374.tif 000013
【図４Ｂ】
2013524374.tif 000014
【図５Ａ】
2013524374.tif 000015
【図５Ｂ】
2013524374.tif 000016
【図６】
2013524374.tif 000017
【図７】
2013524374.tif 000018
【図８】
2013524374.tif 000019
【図９】
2013524374.tif 000020
【図１０】
2013524374.tif 000021
【図１１】
2013524374.tif 000022
【図１２】
2013524374.tif 000023
【図１３】
2013524374.tif 000024
【図１４】
2013524374.tif 000025
【図１５】
2013524374.tif 000026
【図１６】
2013524374.tif 000027
【図１７】
2013524374.tif 000028
【図１８】
2013524374.tif 000029
【図１９】
2013524374.tif 000030
【図２０】
2013524374.tif 000031
【図２１】
2013524374.tif 000032
【図２２】
2013524374.tif 000033
【図２３】
2013524374.tif 000034
【図２４】
2013524374.tif 000035
【図２５】
2013524374.tif 000036
【図２６】
2013524374.tif 000037
【図２７】
2013524374.tif 000038
【図２８】
2013524374.tif 000039
【図２９】
2013524374.tif 000040
【図３０】
2013524374.tif 000041
【図３１】
2013524374.tif 000042
【図３２】
2013524374.tif 000043
【手続補正書】
【提出日】平成24年7月16日(2012.7.16)
【手続補正１】
【補正対象書類名】特許請求の範囲
【補正対象項目名】全文
【補正方法】変更
【補正の内容】
【特許請求の範囲】
【請求項１】
プログラマブル装置のスケジュールをプログラムするためのユーザインターフェイスシステムにおいて、前記ユーザインターフェイスシステムは、
プロセッサ手段と、
前記プロセッサ手段に連結された表示ユニットと、
前記プロセッサ手段は、前記表示ユニット上にグラフィック表示を提供するように構成されており、
前記スケジュールについての少なくとも１つの期間をプログラムするための時間選択領域であって、前記時間選択領域は、複数のセグメントに分割されたダイヤルとして前記表示ユニット上に表示され、各セグメントは、前記装置の動作パラメータについての日における期間を表すことを特徴とする、時間選択領域とを備え、
前記時間選択領域は、ユーザが前記ダイヤル上で１つ以上のセグメントを選択することを可能にするように相互作用的に動作可能であり、前記選択された１つ以上のセグメントは、前記スケジュールについての第１の期間に対応し、いずれの選択されていないセグメントも、前記スケジュールについてのさらなる期間に対応し、前記１つ以上のセグメントは、ユーザがポインティング手段を前記ダイヤルの選択されていないセグメント上に位置決めしドラッグすることにより選択可能であり、１つ以上のセグメントは、ユーザがポインティング手段を前記ダイヤルの前記１つ以上の選択されたセグメント上に位置決めしドラッグすることにより選択解除可能であり、
前記プロセッサ手段は、さらに、前記スケジュールについてユーザにより設定された期間について目標温度を設定することを可能にするように相互作用的に動作可能な温度設定領域を前記表示ユニット上にグラフィック表示するように構成されており、
前記スケジュールは、インターネットウェブサイトを介して、移動演算装置上で実行されるアプリケーションを介して、および／または前記装置用の制御パネルを介して前記ユーザインターフェイスシステムにアクセスすることによりプログラム可能であることを特徴とするユーザインターフェイスシステム。
【請求項２】
請求項１に記載のユーザインターフェイスシステムにおいて、前記ポインティング手段は、前記プログラマブル装置用の前記制御パネル上の前記ダイヤルの傍らに配置された手動で回転可能な選択装置により提供され、前記ダイヤルのセグメントは、ユーザが前記手動で回転可能な選択装置のポインタを前記ダイヤルのセグメント上に位置決めし、アクティブ化し、ドラッグし、前記手動で回転可能な選択装置を押して前記ダイヤルの前記セグメントの選択または選択解除を完了させることにより選択または選択解除されることを特徴とするユーザインターフェイスシステム。
【請求項３】
請求項１に記載のユーザインターフェイスシステムにおいて、前記表示ユニットは、タッチ感知画面であり、前記ポインティング手段は、ユーザの指またはスタイラスにより提供され、ユーザが前記指またはスタイラスを前記ダイヤルのセグメント上にタッチしてドラッグすることにより選択されるかまたは選択されないことを特徴とするユーザインターフェイスシステム。
【請求項４】
請求項１に記載のユーザインターフェイスシステムにおいて、前記ポインティング手段は、マウスであり、セグメントは、ユーザがマウスポインタを前記ダイヤルのセグメント上に位置決めし、アクティブ化し、ドラッグすることにより選択されるかまたは選択されないことを特徴とするユーザインターフェイスシステム。
【請求項５】
請求項１〜４のいずれか一項に記載のユーザインターフェイスシステムにおいて、セグメントは、前記装置の前記動作パラメータについての状態を設定および指示するように選択可能および／または選択解除可能であることを特徴とするユーザインターフェイスシステム。
【請求項６】
請求項５に記載のユーザインターフェイスシステムにおいて、選択されたセグメントは、前記装置の前記動作パラメータについてのオン状態を表し、選択されていないセグメントは、オフ状態を表すことを特徴とするユーザインターフェイスシステム。
【請求項７】
請求項１〜６のいずれか一項に記載のユーザインターフェイスシステムにおいて、各セグメントは、前記動作パラメータについての使用価格の時間を指示する背景色または外観を有することを特徴とするユーザインターフェイスシステム。
【請求項８】
請求項１〜７のいずれか一項に記載のユーザインターフェイスシステムにおいて、前記動作パラメータは、室温、部屋の湿度、部屋の換気、部屋の気質、水温、水質、水の制限、警報または保安設定、および照明レベルの１つであることを特徴とするユーザインターフェイスシステム。
【請求項９】
請求項１〜８のいずれか一項に記載のユーザインターフェイスシステムにおいて、前記セグメントは、選択および選択解除されると外観が変化することを特徴とするユーザインターフェイスシステム。
【請求項１０】
請求項１〜９のいずれか一項に記載のユーザインターフェイスシステムにおいて、各セグメントは、日の１時間〜２４時間、日の３０分〜１時間、日の１５分〜３０分、および日の１分〜１５分の１つの範囲内の特定の期間に対応することを特徴とするユーザインターフェイスシステム。
【請求項１１】
請求項１〜１０のいずれか一項に記載のユーザインターフェイスシステムにおいて、前記時間選択領域は、日における複数の期間をプログラムするために動作可能であり、それにより、前記動作パラメータについての各別個の期間は、前記ダイヤル上の隣接した選択されたまたは隣接した選択されていないセグメントに対応することを特徴とするユーザインターフェイスシステム。
【請求項１２】
請求項１〜１１のいずれか一項に記載のユーザインターフェイスシステムにおいて、期間は、前記表示ユニット上で数字形式で追加表示されることを特徴とするユーザインターフェイスシステム。
【請求項１３】
請求項１２に記載のユーザインターフェイスシステムにおいて、前記数字形式の期間は、前記表示ユニット上で開始および停止時間として表示されることを特徴とするユーザインターフェイスシステム。
【請求項１４】
請求項１３に記載のユーザインターフェイスシステムにおいて、期間は、前記数字形式上で前記開始および停止時間を編集することにより更新されることを特徴とするユーザインターフェイスシステム。
【請求項１５】
請求項１４に記載のユーザインターフェイスシステムにおいて、前記ダイヤルのセグメントは、前記編集された期間に従って選択されるかまたは選択解除されることを特徴とするユーザインターフェイスシステム。
【請求項１６】
請求項１に記載のユーザインターフェイスシステムにおいて、前記目標温度および現在の温度は、前記ダイヤルにおいてまたは前記ダイヤルに隣接して表示されることを特徴とするユーザインターフェイスシステム。
【請求項１７】
請求項１〜１６のいずれか一項に記載のユーザインターフェイスシステムにおいて、前記プロセッサ手段は、さらに、スケジュールがプログラムされる週における１つ以上の日をユーザが選択することを可能にするように相互作用的に動作可能な日選択領域を前記表示ユニット上にグラフィック表示するように構成されていることを特徴とするユーザインターフェイスシステム。
【請求項１８】
請求項１〜１７のいずれか一項に記載のユーザインターフェイスシステムにおいて、スケジュールは、前記表示ユニット上で週の各日についてのダイヤルとして表示されることを特徴とするユーザインターフェイスシステム。
【請求項１９】
請求項１〜１８のいずれか一項に記載のユーザインターフェイスシステムにおいて、前記プロセッサは、ローカルまたは遠隔の格納手段に連結され、それにより、１つ以上のプログラムされたスケジュールは、前記格納手段に格納され、前記装置による処理のために前記格納手段から選択可能であることを特徴とするユーザインターフェイスシステム。
【請求項２０】
プロセッサ手段と前記プロセッサ手段に連結された表示ユニットとを備えるユーザインターフェイスシステムを用いてプログラマブル装置のスケジュールをプログラムする方法において、前記プロセッサ手段は、前記スケジュールについての少なくとも１つの期間をプログラムするための時間選択領域を備える前記表示ユニット上のグラフィック表示を提供するように構成され、前記時間選択領域は、複数のセグメントに分割されたダイヤルとして前記表示ユニット上に表示され、各セグメントは、前記装置の動作パラメータについての日における期間を表し、前記方法は、前記ダイヤル上で１つ以上のセグメントを選択するステップであって、前記選択された１つ以上のセグメントは、前記スケジュールについての第１の期間に対応し、いずれの選択されていないセグメントも、前記スケジュールについてのさらなる期間に対応する、ステップにより特徴付けられ、前記ダイヤルの１つ以上のセグメントを選択する前記ステップは、ユーザがポインティング手段を前記ダイヤルの選択されていないセグメント上に位置決めしドラッグするステップを含み、前記ダイヤルの１つ以上のセグメントを選択解除するステップは、ユーザがポインティング手段を前記ダイヤルの選択されたセグメント上に位置決めしドラッグするステップを含み、
前記プロセッサ手段により前記表示ユニット上にグラフィック表示された相互作用的に動作可能な温度設定領域上でユーザにより設定された期間についての目標温度を設定するステップを含み、
インターネットウェブサイトを介して、移動演算装置上で実行されるアプリケーションを介して、および／または前記装置用の制御パネルを介して前記ユーザインターフェイスシステムにアクセスすることにより、前記スケジュールをプログラムするさらなるステップを含む；ことを特徴とするプログラマブル装置のスケジュールをプログラムする方法。
【請求項２１】
請求項２０に記載のユーザインターフェイスシステムにおいて、前記ポインティング手段は、前記プログラマブル装置用の前記制御パネル上の前記ダイヤルの傍らに配置された手動で回転可能な選択装置により提供され、セグメントを選択または選択解除する前記ステップは、ユーザが前記選択装置のポインタを前記ダイヤルのセグメント上に位置決めし、アクティブ化し、ドラッグし、前記選択装置を押して前記ダイヤルの前記セグメントの選択または選択解除を完了させるステップを含むことを特徴とするユーザインターフェイスシステム。
【請求項２２】
請求項２０に記載のプログラマブル装置のスケジュールをプログラムする方法において、前記表示ユニットは、タッチ感知画面であり、前記ポインティング手段は、ユーザの指またはスタイラスであり、セグメントを選択または選択解除する前記ステップは、ユーザが前記指またはスタイラスを前記ダイヤルのセグメント上にタッチしてドラッグするステップを含むことを特徴とするプログラマブル装置のスケジュールをプログラムする方法。
【請求項２３】
請求項２０に記載のプログラマブル装置のスケジュールをプログラムする方法において、前記ポインティング手段は、マウスであり、セグメントは、ユーザがマウスポインタを前記ダイヤルのセグメント上に位置決めし、アクティブ化し、ドラッグすることにより選択または選択解除されることを特徴とするプログラマブル装置のスケジュールをプログラムする方法。
【請求項２４】
請求項２０〜２３のいずれか一項に記載のプログラマブル装置のスケジュールをプログラムする方法において、前記時間選択領域上で日における複数の期間をプログラムするさらなるステップを含み、それにより、前記動作パラメータについての各別個の期間は、前記ダイヤル上の隣接した選択されたまたは隣接した選択されていないセグメントに対応することを特徴とするプログラマブル装置のスケジュールをプログラムする方法。
【請求項２５】
請求項２０〜２４のいずれか一項に記載のプログラマブル装置のスケジュールをプログラムする方法において、前記表示ユニット上に追加表示された数字形式上で前記期間についての開始および停止時間を編集するさらなるステップを含むことを特徴とするプログラマブル装置のスケジュールをプログラムする方法。
【請求項２６】
請求項２０〜２５のいずれか一項に記載のプログラマブル装置のスケジュールをプログラムする方法において、前記表示ユニット上にグラフィック表示された日選択領域と相互作用することにより、スケジュールがプログラムされる週における１つ以上の日を選択するさらなるステップを含むことを特徴とするプログラマブル装置のスケジュールをプログラムする方法。
【請求項２７】
請求項２０〜２６のいずれか一項に記載のプログラマブル装置のスケジュールをプログラムする方法において、前記装置による処理のためにローカルまたは遠隔の格納手段からプログラムされたスケジュールを選択するさらなるステップを含むことを特徴とするプログラマブル装置のスケジュールをプログラムする方法。
【国際調査報告】
2013524374.tif 000044
2013524374.tif 000045
2013524374.tif 000046
2013524374.tif 000047
2013524374.tif 000048
2013524374.tif 000049
2013524374.tif 000050